(57)【特許請求の範囲】
【請求項１】
掃除機ヘッドであって、
掃除機ヘッド本体と、
汚染空気開口部の周縁の少なくとも一部を画成する後部分及び可撓性を有する横方向側部分を備え、使用中に被清掃面を向く底板と、
を備え、
前記後部分及び可撓性を有する前記横方向側部分が、前記後部分が前記掃除機ヘッド本体に対して移動可能なように前記掃除機ヘッド本体に接続されており、それにより、使用中に、前記後部分及び可撓性を有する前記横方向側部分が、当該掃除機ヘッドと掃除中に前記被清掃面との間の封止を維持するために、前記被清掃面に従うことを特徴とする掃除機ヘッド。
【請求項２】
前記後部分が、使用中に被清掃面に当接して封止する下側封止面を備えることを特徴とする請求項１に記載の掃除機ヘッド。
【請求項３】
前記後部分が、前記掃除機ヘッド本体に回動式に接続されていることを特徴とする請求項１または２に記載の掃除機ヘッド。
【請求項４】
前記後部分が、当該後部分が前記掃除機ヘッド本体に対して片持ち状となるように、前記掃除機ヘッド本体に接続されていることを特徴とする請求項１または２に記載の掃除機ヘッド。
【請求項５】
前記後部分が、当該後部分と前記掃除機ヘッド本体との間の接続から後方に延在していることを特徴とする請求項３または４に記載の掃除機ヘッド。
【請求項６】
前記後部分が、掃除機ヘッドに固定されている可撓性部分及び前記可撓性部分に接続されている硬質部分を備えることを特徴とする請求項３から５のいずれか１項に記載の掃除機ヘッド。
【請求項７】
前記後部分が、前記可撓性部分によって前記掃除機ヘッド本体に接続されていることを特徴とする請求項６に記載の掃除機ヘッド。
【請求項８】
前記可撓性部分が、エラストマ材料のような弾性材料を有することを特徴とする請求項６または７に記載の掃除機ヘッド。
【請求項９】
前記横方向側部分それぞれが、前記後部分の前方に延在することを特徴とする請求項１から８のいずれか１項に記載の掃除機ヘッド。
【請求項１０】
前記横方向側部分それぞれが、当該横方向側部分が前記掃除機ヘッド本体に対して片持ち状となるように、前記掃除機ヘッド本体に接続されていることを特徴とする請求項１から９のいずれか１項に記載の掃除機ヘッド。
【請求項１１】
前記横方向側部分それぞれが、当該横方向側部分と前記掃除機ヘッド本体との間の接続から後方に延在していることを特徴とする請求項１０に記載の掃除機ヘッド。
【請求項１２】
前記横方向側部分が、エラストマ材料のような弾性材料を有することを特徴とする請求項１から１１のいずれか１項に記載の掃除機ヘッド。
【請求項１３】
前記横方向側部分それぞれの少なくとも一部が、前記後部分から下方に延在することを特徴とする請求項１から１２のいずれか１項に記載の掃除機ヘッド。
【請求項１４】
前記横方向側部分それぞれが、前記後部分の最下部分から前方に延在する下側封止面を有することを特徴とする請求項１３に記載の掃除機ヘッド。
【請求項１５】
当該掃除機ヘッドを前記被清掃面上で支持するように構成された支持体をさらに備えることを特徴とする請求項１から１４のいずれか１項に記載の掃除機ヘッド。
【請求項１６】
前記支持体が、少なくとも１つの車輪を備えることを特徴とする請求項１５に記載の掃除機ヘッド。
【請求項１７】
前記支持体の下側外周が、前記被清掃面と接触し、床接触平面を画成することを特徴とする請求項１５または１６に記載の掃除機ヘッド。
【請求項１８】
前記下側封止面が、前縁及び後縁を有し、
前記後部分が、前記後縁が前記床接触平面で延在する第１位置と、前記下側封止面が前記床接触平面に対して前記前縁から後方かつ下方の方向で延在するように、前記後縁が前記床接触平面よりも下にある第２位置と、を有することを特徴とする請求項２に従属する場合の請求項１７に記載の掃除機ヘッド。
【請求項１９】
前記第１位置において、前記前縁が、前記床接触平面よりも上にあり、それにより、前記下側封止面が、前記床接触平面に対して前記前縁から後方かつ下方の方向で延在することを特徴とする請求項１８に記載の掃除機ヘッド。
【請求項２０】
前記後部分が、前記下側封止面が前記床接触平面に対して前記前縁から後方かつ上方の方向で延在するように、前記後縁が前記床接触平面よりも上にある第３位置を有することを特徴とする請求項１８または１９に記載の掃除機ヘッド。
【請求項２１】
前記底板が、前記汚染空気開口部の周縁の少なくとも一部を画成する前部分をさらに備え、
前記後部分が、前記前部分とは独立して、前記掃除機ヘッド本体に対して移動可能であることを特徴とする請求項１から２０のいずれか１項に記載の掃除機ヘッド。
【請求項２２】
前記前部分が、前記被清掃面に当接して封止するための下面を有し、
前記下面が、後方で床接触平面に対して上方に傾斜していることを特徴とする請求項２１に記載の掃除機ヘッド。
【請求項２３】
前記後部分が、使用中に環境気圧にさらされる上面を備えることを特徴とする請求項１から２２のいずれか１項に記載の掃除機ヘッド。
【請求項２４】
前記後部分が、使用中にかつ前記後部分が第２位置にあるときに、前記上面に作用する正味圧が掃除中の前記被清掃面に当該後部分を押し付けるように、構成されていることを特徴とする請求項２３に記載の掃除機ヘッド。
【請求項２５】
前記後部分が、当該後部分の少なくとも一部に沿って延在する淵部を備え、
前記淵部が、前記後部分の下側封止面に対して上方かつ後方に延在する下面を有することを特徴とする請求項１から２４のいずれか１項に記載の掃除機ヘッド。
【請求項２６】
前記淵部が、エラストマ材料のような弾性材料を有することを特徴とする請求項２５に記載の掃除機ヘッド。
【請求項２７】
請求項１から２６のいずれか１項に記載の掃除機ヘッドを備えることを特徴とする床面ツール。
【請求項２８】
請求項１から２６のいずれか１項に記載の掃除機ヘッドを備えることを特徴とする真空掃除機。
【発明の詳細な説明】
【技術分野】
【０００１】
本発明は、掃除機ヘッド及び掃除機ヘッドを備える真空掃除機に関する。
【背景技術】
【０００２】
特許文献１は、手持式真空掃除機であるスティック型真空掃除機を開示しており、この真空掃除機には、ワンド及び掃除機ヘッドが取り付けられている。使用中に掃除機を床にわたって前後に押すと、使用者によって真空掃除機に、ひいては掃除機ヘッドに掛けられた力は、変動する。
【先行技術文献】
【特許文献】
【０００３】
【特許文献１】英国特許第２４８４１４６号明細書
【発明の概要】
【発明が解決しようとする課題】
【０００４】
例えば、前方ストロークにおいて、使用者は、スティック型真空掃除機に押付力を掛ける。したがって、床面ツールの首部は、掃除中の表面に当接して押圧される。カーペット面について、掃除機ヘッドの首部にある車輪は、カーペットのパイル内へ下方に押し付けられる。効果は、掃除機ヘッドの前方部分及び底板の相対浮力が上方に傾くことであり、カーペット内へのブラシバーの進入が低減し、清掃効率を低減させる。
【０００５】
反対に、後方ストロークにおいて、使用者は、スティック型真空掃除機に引付力を掛ける。主として、使用者は、上方かつ後方の方向に引き、これにより、いくつかの状況において、掃除機ヘッドの首部にある車輪及び底板を掃除している表面から離間するように上昇させ、このため、掃除機ヘッドと表面との間の封止効率を低減させる。掃除機ヘッド内で発生する部分的な真空が低減することは、底板を床から上昇させることによって引き起こされ、捕捉性能における劣化を生じさせる。
【課題を解決するための手段】
【０００６】
本発明の第１態様によれば、掃除機ヘッドが提供され、この掃除機ヘッドは、掃除機ヘッド本体と、汚染空気開口部の周縁の少なくとも一部を画成する後部分及び可撓性を有する横方向側部分を備える底板と、を備え、後部分及び可撓性を有する横方向側部分は、掃除機ヘッド本体に対して移動可能であり、それにより、使用中に、後部分及び可撓性を有する横方向側部分は、掃除機ヘッドと掃除中の表面との間の封止を維持するために、掃除中の表面に従う。
【０００７】
本発明の利点は、表面に対する封止を維持するために底板の後部分及び可撓性を有する横方向側部分が表面に適合するので、掃除機ヘッドを起伏のある表面にわたって移動させるときに、または、掃除機ヘッドの後方を表面から上昇させる場合に、掃除機ヘッド本体内の静圧を環境静圧未満の圧力で維持すること、である。用語「封止」は、掃除機ヘッドと掃除中の表面との間の間隙を制約すること／閉塞することが掃除機ヘッド本体内の静圧を維持するのに十分であり、通常の使用中に環境静圧より少なくとも１ｋＰａ小さいこと、を意味する。
【０００８】
後部分は、使用中に掃除中の表面に当接して封止する下側封止面を備え得る。後部分は、掃除機ヘッド本体に回動式に接続され得る。代替として、後部分は、後部分が掃除機ヘッド本体に対して片持ち状となるように、掃除機ヘッド本体に接続され得る。後部分は、後部分が後部分と掃除機ヘッド本体との間の接続から後方に延在する付随構成で配設され得る。後部分は、硬質部分及び可撓性部分を備え得る。後部分は、可撓性部分によって掃除機ヘッド本体に接続され得る。可撓性部分は、エラストマ材料のような弾性材料を有し得る。後部分を掃除機ヘッド本体に回動式に接続する場合には、後部分全体は、硬質であり得る。
【０００９】
横方向側部分それぞれは、後部分の前方に延在し得る。例えば、横方向側部分それぞれは、後部分の後縁から掃除機ヘッドの側部に沿う少なくとも中間にある後部分の前方の領域まで延在し得る。横方向側部分それぞれは、横方向側部分が掃除機ヘッド本体に対して片持ち状となるように、掃除機ヘッド本体に接続され得る。横方向側部分それぞれは、横方向側部分が横方向側部分と掃除機ヘッド本体との間の接続から後方に延在する付随構成で配設され得る。横方向側部分は、エラストマ材料のような弾性材料を有し得る。横方向側部分それぞれの少なくとも一部は、後部分から下方に延在し、それにより、後部分の横方向縁と掃除中の表面との間の間隙を閉塞する。横方向側部分それぞれは、後部分の最下部分から前方に延在する下側封止面を有し得る。
【００１０】
掃除機ヘッドは、掃除機ヘッドを掃除中の表面上で支持するように構成された支持体をさらに備え得る。支持体は、少なくとも１つの車輪を備え得る。支持体の下側外周または前方及び後方支持体のような複数の支持体の下側外周は、床接触平面を画成し得る。床接触平面は、通常の使用中に１以上の支持体によって掃除機ヘッドを支持する平面である。
【００１１】
下側封止面は、前縁及び後縁を有し得る。後部分は、後縁が床接触平面で延在する第１位置と、後縁が床接触平面よりも下にある第２位置を有し得、それにより、下側封止面は、床接触平面に対して前縁から後方かつ下方の方向で延在する。
【００１２】
第１位置において、前縁は、床接触平面よりも上にあり得、それにより、下側封止面は、床接触平面に対して前縁から後方かつ上方の方向で延在する。
【００１３】
後部分は、後縁が床接触平面よりも上にある第３位置を有し得、それにより、下側封止面は、床接触平面に対して前縁から後方かつ上方の方向で延在する。
【００１４】
底板は、汚染空気開口部の周縁の少なくとも一部を画成する前部分をさらに備え得、後部分は、前部分とは独立して、掃除機ヘッド本体に対して移動可能である。
【００１５】
前部分は、掃除中の表面に当接して封止するための下面を有し得、下面は、後方で床接触平面に対して上方に傾斜している。
【００１６】
後部分は、使用中に環境気圧にさらされる上面を備え得る。
【００１７】
後部分は、使用中にかつ後部分が第２位置にあるときに、上面に作用する正味圧が掃除中の表面に後部分を押し付けるように、構成され得る。
【００１８】
後部分は、後部分の少なくとも一部に沿って延在する淵部を備え得る。淵部は、後部分の下側封止面に対して上方かつ後方に延在する下面を有し得る。淵部は、エラストマ材料のような弾性材料を有し得る。
【００１９】
本発明の第２態様によれば、床面ツールが提供され、この床面ツールは、本発明の第１態様にかかる掃除機ヘッドを備える。
【００２０】
本発明の第３態様によれば、真空掃除機が提供され得、この真空掃除機は、本発明の第１態様にかかる掃除機ヘッドを備える。
【００２１】
本発明をより理解するために、及び、本発明をどのように実行し得るかをより示すために、以下の図面を参照しながら例として本発明を説明する。
【図面の簡単な説明】
【００２２】
【図１】掃除機ヘッドを示す下方からの斜視図である。
【図２】図１に示す掃除機ヘッドを示す側面図である。
【図３】図１に示す掃除機ヘッドを示す断面図である。
【図４】図１に示す掃除機ヘッドを備える真空掃除機を示す図である。
【図５Ａ】硬い平坦面で使用している間の図１に示す掃除機ヘッドを示す概略図である。
【図５Ｂ】硬い平坦面で使用している間の図１に示す掃除機ヘッドを示す概略図である。
【図６Ａ】カーペット面で使用している間の図１に示す掃除機ヘッドを示す概略図である。
【図６Ｂ】カーペット面で使用している間の図１に示す掃除機ヘッドを示す概略図である。
【発明を実施するための形態】
【００２３】
図１は、掃除機ヘッド４及び連節された首部６を有する床面ツール２を示しており、この首部は、掃除機ヘッド４に回転可能に接続されている。
【００２４】
掃除機ヘッド４は、掃除機ヘッド本体８及び底板１０を備える。掃除機ヘッド本体８は、両側部分８ａ及びカバー８ｂを有しており、これら側部分及びカバーは、共にチャンバ１２を画成し、このチャンバ内には、ブラシバー１４の形態にある撹拌器を配設している。ブラシバー１４は、毛１６、１７を備えており、これら毛は、ブラシバー１４の周囲に延在するストリップとして配列されている。毛１６、１７は、ブラシバー１４から径方向外側に突出し、ナイロン毛１６の第１ストリップと、炭素繊維毛１７の第２ストリップと、を備える。ブラシバー１４は、掃除機ヘッド本体８に備え付けられており、それにより、ブラシバーは、掃除機ヘッド本体８に対して回転できる。ブラシバー１４は、ブラシバー１５内に配設されたモータ（図示略）によって駆動される。チャンバ１２は、首部６内と流体連通する出口１８を有する。連節された首部６は、使用中に床面ツール２を支持するための後方車輪１９を首部６の各側に備える。
【００２５】
底板１０は、前部分２０、後部分２２及び側部分２３を備える。前部分２０は、掃除機ヘッド本体８と一体的に形成されているが、当然ながら、別の実施形態において、前部分２０は、掃除機ヘッド本体８に固定され得される別個の構成部材であり得る。前部分２０は、掃除機ヘッド４に対して横方向に延在する前縁２４及び後縁２６を有する。後部分２２は、平面Ａにおいて掃除機ヘッド４に対して横方向に延在する前縁２８及び後縁３０を有する。前部分２０の後縁２６及び後部分２２の前縁２８は、汚染空気開口部３２の前方及び後方縁を形成する。汚染空気開口部３２は、平面Ａ内に延在し（図３参照）、掃除機ヘッド本体８の側部分８ａ及び底板１０の側部分２３によって部分的に画成されている。
【００２６】
前部分２０は、掃除機ヘッド４の下側で掃除機ヘッド４の下面を形成する前方封止面３４を有する。前方封止面３４は、前部分２０の前縁２４から後縁２６まで延在する。前方封止面３４は、平坦であり、上方かつ後方の方向で前縁２４から延在する。前縁２４は、前部分２０の最下部分を画成する。前部分２０は、湾曲面３６をさらに備え、この湾曲面は、前縁２４から掃除機ヘッド４の前方に湾曲する。当然ながら、湾曲面３６は、前方封止面３４と一体とされている。したがって、前縁２４は、２つの面間の接合面における最下領域である。
【００２７】
２つの前方車輪３８は、前部分２０に固定されている。車輪３８それぞれは、前方封止面３４内に窪んでおり、それにより、車輪３８の一部は、前部分２０から突出する。車輪３８それぞれは、床面ツール２を硬い表面に配置したときに車輪３８が硬い表面と前縁２４との間の小間隙を維持することを保証する距離だけ、突出する。間隙は、１ｍｍから５ｍｍの間である。
【００２８】
首部６の各側にある後方車輪１９は、前部分２０に固定された前方車輪３８と共に、使用中に表面にある掃除機ヘッド４を支持する。前方及び後方車輪３８、１９の下側外周は、掃除機ヘッド４の床接触平面ＦＰを画成する。
【００２９】
後部分２２は、掃除機ヘッド４の下側で掃除機ヘッド４の下面を形成する後方封止面４０を有する。後方封止面４０は、後部分２２の前縁２８から後縁３０まで延在する。後部分２２は、同様に、後部分２２の後縁３０に沿って延在する淵部４２を有する。淵部４２は、後方かつ上方の方向で後縁３０から離間するように延在する下面４４を有する。淵部４２の下面４４は、平坦であり、後方封止面４０に対して傾いている。淵部４２は、後方ストロークにおいて後部分２２が掃除中の表面を滑らかに乗り越え、それにより、表面内に突っ込まないことを保証する。中央スロット４６は、後部分２２の後方に形成されている。スロット４６は、首部６を収容するように構成されている。
【００３０】
図示した実施形態において、後部分２２は、硬質プレート４８及び弾性材料から形成されたフレーム５０を備える。フレーム５０は、プレート４８の周囲を回るように延在しており、それにより、フレームは、後部分２２の前及び後縁２８、３０、淵部４２並びに側部分５２を画成する。側部分５２は、底板１０の側部分２３の一部を形成する。フレーム５０は、好ましくは、ショア硬度３０Ａから５０Ａの間、好ましくはショア硬度４０Ａを有する弾性材料から形成されている。フレーム５０は、例えば熱可塑性ポリウレタン（ＴＰＵ）で形成され得る。フレーム５０は、掃除機ヘッド本体８に固定されており、それにより、後部分２２は、前縁２８回りに屈曲し得る。したがって、後部分２２は、付随構成で掃除機ヘッド本体８に接続されており、それにより、後部分２２は、前縁２８回りで掃除機ヘッド本体８に対して移動可能である。
【００３１】
掃除機ヘッド本体８は、下方を向く当接面５４を有し、この当接面は、掃除機ヘッド４の端部それぞれにあり、後部分２２の直接上方に位置する。当接面５４それぞれは、床接触平面ＦＰに対して傾いている。側部分５２は、例えば接着または溶接によって、当接面５４それぞれに当接係合した状態で固定されている。側部分５２それぞれは、硬質プレート４８の上方への変位に抗し、それにより、上方方向での硬質プレート４８の回転範囲を制限する。また、後部分２２は、硬質プレート４８の上面及びフレーム５０の上面によって形成された上面５６を有しており、この上面は、使用中において、環境気圧にさらされる。後部分２２は、使用中に、後方硬質プレート４８を後方かつ下方に傾けると、上面５６に作用する環境気圧と後部分２２の下面にある後方封止面４０に作用するチャンバ１２内の部分真空との圧力差を維持できるように、構成されている。
【００３２】
掃除機ヘッド本体８の側部分８ａ及びフレーム５０の側部分５２は、底板１０の側部分２３の下側封止面５８それぞれを画成し、これら下側封止面は、掃除機ヘッド４の横方向側面それぞれに沿って延在する。封止面５８それぞれは、平面において前部分２０の前縁２４から後部分２２の後縁３０まで延在し、この平面では、前縁２４及び後縁３０が延在する。
【００３３】
図４は、手持式ユニット１０４、ワンド１０６及び図１に示す床面ツール２を備えるスティック型真空掃除機１０２を示す。手持式ユニット１０４は、モータ及びファンユニットを備える吸引発生器（図示略）と、ハンドル１０８と、気流から塵埃を分離するための分離器１１０と、を備える。
【００３４】
使用中において、空気及び塵埃は、吸引発生器によって床面ツール２の汚染空気開口部３２を通ってチャンバ１２内に、そして、チャンバ１２から出口１８、首部６及びワンド１０６を通って分離器１１０内に、引き込まれる。空気に取り込まれた塵埃は、手持式ユニット１０４によって排出される前に、分離器１１０によって気流から分離される。図示した実施形態において、分離器１１０は、遠心分離器である。ブラシバー１４は、図３に示すように、時計回り方向で駆動され、それにより、ブラシバー１４によって出口１８に向けて破片を後方へ掃く。
【００３５】
図５Ａは、硬い平坦面ＳＨ上に配置したときの図１から図３に示す床面ツールの概略図である。床面ツール２は、前方及び後方車輪３８、１９（後方車輪のみ示す）によって表面上で支持されている。フレーム５０は、床面ツール２を硬い平坦面上に配置したときに側部分５２が当接面５４に当接して若干圧縮されるように構成されている。したがって、後縁３０は、側部分５２によって表面ＳＨに軽く押し付けられ、それにより、後縁３０は、表面ＳＨに当接する封止を形成する。下側封止面５８は、平坦面に適合するために屈曲し、そのため、側部分５２と表面ＳＨとの間の間隙を最小化する。後部分２２と表面ＳＨとの間の有効な封止は、チャンバ１２内で部分真空を維持できることを保証し、捕捉性能を改善する。例えば、真空掃除機１０２の使用中に、環境静圧ＰＡ（すなわち大気圧）より１ｋＰａから１０ｋＰａの間だけ小さい、好ましくは環境静圧ＰＡよりの１ｋＰａから４ｋＰａの間だけ小さい部分真空ＰＨを維持する。しかしながら、後方封止面４０全体ではなく後縁３０のみが表面ＳＨに接触しているので、過剰な封止を回避し、そのため、表面ＳＨにわたって掃除機ヘッド４を操縦するのに必要な押付力は、過剰ではない。
【００３６】
後部分２２の上面５６に作用する環境静圧ＰＡと後方封止面４０に作用するチャンバ１２内の部分真空ＰＨとの間の差は、後部分２２の上面に正味下方力ＦＤを生じさせ、この正味下方力は、表面ＳＨに後縁３０を押し付ける全体力に寄与する。フレーム５０の側部分５２の弾性は、上面５６に作用する正味圧と組み合わせて、後縁３０と上面ＳＨとの間の封止を維持するのに十分である一方、表面ＳＨにわたって掃除機ヘッド４を操作するのに必要な押付力を制限する。後縁３０の前方において、下側封止面５８の前方領域と硬い表面ＳＨとの間には、小間隙（図示略）が形成される。間隙は、比較的低い流動経路を形成し、この流動経路は、底板１０が表面ＳＨに当接してしがみ付く（すなわち貼り付く）ことを防止するが、部分真空をチャンバ１２内で維持することを防止しない。ブラシバー１４の炭素繊維毛１７は、ブラシバー１４を回転させてそれにより表面ＳＨを掃くにしたがって、床接触平面ＦＰを介して掃く。対照的に、より硬いナイロン毛１６は、表面ＳＨと接触しないように保持されており、それにより、表面ＳＨを引っ掻くことを防止する。
【００３７】
前方ストロークにわたって、前方及び後方車輪３８、１９は、表面ＳＨに対して押される。車輪３８、１９は、掃除機ヘッド本体８を表面ＳＨに強く押し付けることを防止し、表面ＳＨと前縁２４、そして下側封止面５８の前方領域との間の間隙を維持する。
【００３８】
後方ストロークにおいて、上方に引っ張るという使用者の傾向により、後方車輪１９及び掃除機ヘッド本体８の後部分は、図５Ｂに示すように、表面ＳＨから離間して上昇される。掃除機ヘッド本体８の後部が表面ＳＨから離間して上昇するので、上面５６に掛かる正味圧によって及び側部分５２によって引き起こされる下方力ＦＤは、後縁３０を表面ＳＨに当接させて保持し、これにより、後部分２２と表面ＳＨとの間の封止を維持する。床接触平面ＦＰに対する後部分２２の下側封止面４０の傾斜角度は、増加し、側部分５２は、弓状に表面ＳＨに向けて下方に屈曲する。後方ストロークにおいて後縁３０と表面ＳＨとの間の接触を維持することにより、所望の部分真空をチャンバ１２内で維持することができることを保証する。
【００３９】
掃除機ヘッド４をカーペットＳＣ上に配置すると、図６Ａに示すように、前方及び後方車輪３８、１９（後方車輪のみ示す）は、カーペットの繊維内に沈む。カーペットの繊維は、後部分２２を上方に押す。後部分２２に対する繊維の力は、主として、後部分２２の上面５６に採用する側部分５２及び圧力を組み合わせた力に打ち勝つのに十分であり、それにより、後部分２２は、上方に揺動する。このような構成において、後部分２２の後縁３０は、後部分２２の前縁２８以上のレベルに上昇され、後方封止面４０全体は、カーペット繊維に押し付けられる。
【００４０】
後部分２２を上方に回転させることにより、ブラシバー１４の毛１６、１７がカーペット繊維内に深く進入することを可能とし、これにより、掃除効率を改善する。特に、床面ツール２を硬い平坦面上で使用する場合には掃除中の表面から隙間があいているナイロン毛は、カーペットと係合させられ、カーペット繊維内に深く進入する。主として、例えば掃除機ヘッド４を比較的パイルが短いカーペットで使用する場合、後部分２２によってカーペット面に掛かる力の量は、側部分５２によって伝達された力に制限される。その結果として、カーペットＳＣにわたって掃除機ヘッド４を押すのに必要な力は、従来の床面ツールと比較して、相対的に低い。
【００４１】
前方ストロークにおいて、前方及び後方車輪３８、１９は、底板１０をカーペットＳＣに押し付けられる量、それによりチャンバ１２内の部分真空を制限し、カーペットＳＣにわたって掃除機ヘッド４を操作するのに必要な押付力は、ほぼ一定のままである。後部分２２を変位させることにより、床面ツール２が後縁３０回りに回動せず上方に傾かないことを保証する。
【００４２】
後方ストロークにおいて、後方車輪１９及び掃除機ヘッド本体８の後部分がカーペットＳＣから離間して上昇されるので、後部分２２は、下方に回転し、それにより、カーペットＳＣに対する封止を維持するが、（図６Ｂに示すように）カーペットの地形に従い続けられる。硬質プレート４８は、前方／後方方向で強度を提供し、それにより、後部分２２が後方ストロークにおいてその下方で折り返すことを防止する。
【００４３】
上述した配置は、表面ＳＨに完全にはくっつけられてはいないカーペットまたはマットで掃除機ヘッド４を使用する場合に、特に有利である。このような状況において、チャンバ１２内の部分真空は、図６Ｂに示すように、カーペットが汚染空気開口部３２を通してチャンバ１２内ではためかせ得る。これに応じて、後部分２２は、下方に回転し、側部分５２は、カーペットの形状に従うために変形する。その結果、掃除機ヘッド４の後方封止面４０及び下側封止面５８全体は、カーペットＳＣと封止接触状態で保持される。後部分２２の後縁３０だけではなく後方封止面４０全体をカーペットに押し付け係合した状態で保持しているので、底板１０は、カーペットＳＣに対する良好な封止を提供する。同様に、カーペットＳＣは、前部分２０の傾斜前方封止面３４に対して起こされ、そのため、掃除機ヘッドの前方とカーペットＳＣとの間に良好な封止を形成する。利点は、前方及び後方ストローク双方に関して明らかである。
【００４４】
この配置は、同様に、後部分２２が必要な押付力に過度の影響を与えることなく表面に対する良好な封止を維持できるので、不均一なパイルを有するカーペット、他の弾性面、ラグの縁、敷居及び起伏のある表面で使用したときの捕捉性能に対する利点を有する。
【００４５】
別の実施形態において、後部分は、掃除機ヘッド本体８に固定され得、それにより、後部分は、前縁と平行に延在する回転軸回りで回転可能である。さらなる実施形態において、硬質プレートは、後部分の前縁から後縁への方向で延在して横方向で間隔をあけた複数のリブで置換され得る。想定されることは、このような配置が横方向での可撓性度合を増加させるが、後方ストロークにおいて後部分が後部分自体の下方に折り返すことを依然として防止すること、である。
【００４６】
スティック型真空掃除機による使用との関連で説明したが、当然ながら、掃除機ヘッドは、他のタイプの真空掃除機と共に使用され得る。例えば、掃除機ヘッドは、シリンダ型真空掃除機、アプライト型真空掃除機またはロボット型真空掃除機に組み込まれ得、これに関して、上述した利点の少なくとも一部は、明らかである。
【符号の説明】
【００４７】
２  床面ツール、４  掃除機ヘッド、８  掃除機ヘッド本体、１０  底板、１９  後方車輪，車輪（支持体）、２０  前部分、２２  後部分、２３  横方向側部分，側部分、２８  前縁、３０  後縁、３２  汚染空気開口部、３８  前方車輪，車輪（支持体）、４０  下側封止面，後方封止面、４２  淵部、４８  後方硬質プレート，硬質プレート，プレート（硬質部分）、５０  フレーム（可撓性部分）、５６  上面、１０２  スティック型真空掃除機，真空掃除機、ＦＰ  床接触平面
【図１】
0006333331.tif 000002
【図２】
0006333331.tif 000003
【図３】
0006333331.tif 000004
【図４】
0006333331.tif 000005
【図５Ａ】
0006333331.tif 000006
【図５Ｂ】
0006333331.tif 000007
【図６Ａ】
0006333331.tif 000008
【図６Ｂ】
0006333331.tif 000009